(57)【特許請求の範囲】
【請求項１】
雷管、空包薬を内部に備えて小銃、機関銃を含む小口径火器に使用され、前筒部および内方に突出する環状の凹部の溝が設けられている薬莢部からなる空包において、
前記前筒部の後端部は、前記薬莢部の内部に挿入されるとともに、前記薬莢部の先端にてかしめられ、このかしめられた部分より後端側が前記凹部の溝によって固定され、
前記かしめられた部分と前記薬莢部との接触面は溶着又は接着され、
前記前筒部の先端部には、円周方向の三点以上を中心に向けて押し潰す押し潰し加工が施されている、
ことを特徴とする空包。
【請求項２】
請求項１に記載の空包において、
前記かしめられた幅が、０．９ｍｍから２．２ｍｍまでである、
ことを特徴とする空包。
【請求項３】
請求項１または請求項２に記載の空包において、
前記凹部の溝の内径が、７．４ｍｍから７．８ｍｍまでである、
ことを特徴とする空包。
【請求項４】
請求項１から請求項３の何れか１項に記載の空包において、
前記三点以上とは、四〜八点の範囲である、
ことを特徴とする空包。
【発明の詳細な説明】
【技術分野】
【０００１】
本発明は、小銃、機関銃等の火器に使用される空包に関し、射撃時に部品の欠損や部品の一部の欠損を生じさせず、連発射撃を行うことができる空包に関する。
【背景技術】
【０００２】
空包は、火器による射撃訓練や公開訓練の射撃のデモンストレーション時に、実包を用いないものの、実包射撃と同じ火器を使用しつつ、実包射撃さながらの射撃音を発生させて、有事に備えた訓練を行うために用いられる。
【０００３】
ここで、従来の空包１００は、図３に示す通り、前筒部２および薬莢部３からなり、一般に、前筒部２の後端部２１が薬莢部３の先端外側に嵌められ、固定されて構成されるものである。前筒部２の先端部２２は円筒状で、前筒部２の内部を覗き見ることができる開放状態に形成されている。また、薬莢部３の内部の密閉方法は、紙で密閉する、いわゆる紙塞６の構造が採用されている。
空包射撃の際、空包１００が弾倉給弾やリング給弾により火器の薬室内に装填されると、薬莢部３の内部の雷管４により空包薬５が燃焼し、燃焼ガスが発生する。そうすると、射撃音の発生とともに、薬莢部３の内部で空包薬５を密閉していた紙塞６が破断して、火器先端から吐出される。
【０００４】
従来の空包１００は、上記のような構造であるため、連発射撃時において、機関銃等の薬室に装填される際、前筒部２の円筒状の先端部２２が、薬室壁に衝突する場合があるほか、前筒部２の後端部２１が薬莢部３の先端外側に嵌められ、固定されているために、前筒部２の円筒状の先端部２２が薬室壁に衝突すると、前筒部２が薬莢部３の先端外側から外れ、いわゆる脱筒を生じる場合があり、これにより連発射撃ができなくなるおそれがあるという問題が生じている。
【０００５】
また、紙塞６の構造による薬莢部３の内部の密閉方法では、拘束力が弱いため、空包薬５の燃焼残渣が多いという問題がある。この燃焼残渣は火器先端から吐出され、前方飛散物となる問題がある。
【０００６】
なお、戦車砲などの大口径の火砲に用いる空包に関し、実包とほぼ同じ重量と形状とを有し、実包射撃と同様な、射撃音と操作性とが得られるうえ、安全に連続して射撃でき、さらに火砲内外にほとんど残渣を残留させない、簡便な空包を提供することを目的とした発明が、例えば、下記特許文献１にて提案されている。
【特許文献１】特開２００２−１６２１９８号公報
【発明の開示】
【発明が解決しようとする課題】
【０００７】
上記の通り、従来の空包１００では、射撃の際に、空包１００が薬室壁に衝突して前筒部２が薬莢部３の先端外側から外れる、いわゆる脱筒が生じてしまい、連発射撃ができなくなるおそれがあるほか、拘束が弱いために、燃焼残渣が多い等の問題がある。また、この燃焼残渣が前方飛散物となる問題もあった。
【０００８】
本発明は、上記実情に鑑み、小銃、機関銃等の小口径火器に使用される空包において、射撃時に部品の欠損や部品の一部の欠損を生じさせないで、連発射撃を行うことができ、さらに燃焼残渣を低減させることのできる空包を提供することを目的とする。
【課題を解決するための手段】
【０００９】
上記目的を達成するため、本発明は、雷管、空包薬を内部に備えて小銃、機関銃を含む小口径火器に使用され、前筒部および内方に突出する環状の凹部の溝が設けられている薬莢部からなる空包において、前記前筒部の後端部は、前記薬莢部の内部に挿入されるとともに、前記薬莢部の先端にてかしめられ、このかしめられた部分より後端側が前記凹部の溝によって固定され、前記かしめられた部分と前記薬莢部との接触面は溶着又は接着され、前記前筒部の先端部には、円周方向の三点以上を中心に向けて押し潰す押し潰し加工が施されていることを特徴とする。
【００１０】
特に、上記かしめられた幅は、０．９ｍｍから２．２ｍｍまでであることが好ましい。
【００１１】
また、上記凹部の溝の内径が７．４ｍｍから７．８ｍｍまでであることがさらに好ましい。
【００１２】
さらに、前筒部の先端部の押し潰し加工における三点以上とは、四〜八点の範囲であることがさらに好ましい。
【発明の効果】
【００１３】
本発明では、雷管、空包薬を内部に備えて小銃、機関銃を含む火器に使用され、前筒部および内方に突出する環状の凹部の溝が設けられている溝薬莢部からなる空包において、前筒部の後端部を薬莢部の内部に挿入し、薬莢部の先端にてかしめ、このかしめられた部分と薬莢部との接触面を溶着又は接着したので、前筒部の抜け強度が増加するため、空包が薬室内に装填されるときに薬室壁に衝突しても、前筒部が薬莢部から外れること（いわゆる脱筒）がなくなって、射撃時に空包の部品の欠損や部品の一部の欠損を防ぐことができ、連発射撃を行うことができる。特に、上記かしめられた幅を、０．９ｍｍから２．２ｍｍまでとすれば、いわゆる脱筒を防止するのに最適となるので、前筒部が薬莢部から外れることを確実に防止し、射撃時に空包の部品の欠損や部品の一部の欠損を確実に防ぐことができて、連発射撃を行うことができる。そして、このような効果により、訓練の効率性や安全性の向上を図ることができる。
【００１４】
さらに、前筒部の後端部のかしめられた部分より後端側を、薬莢部に設けられた内方に突出する環状の凹部の溝によって固定したので、上記の通りの、いわゆる入りこみの防止効果をより向上させることができ、連発射撃を確実に行うことができる。また、この凹部の溝の内径を７．４ｍｍから７．８ｍｍまでとすれば、いわゆる入りこみの防止効果をさらに高めることができ、連発射撃の確実性をさらに高めることが可能となる。そして、このような効果により、訓練の効率性や安全性の向上をより一層図ることができる。
【００１５】
また、前筒部の先端部に円周方向の三点以上を中心に向けて押し潰す押し潰し加工を施したので、前筒部の先端部が尖った形態となるため、空包の薬室への装填をスムーズに行うことができ、空包の薬室への装填性を非常に高めることができる。このため、前筒部が薬莢部から外れること（いわゆる脱筒）を防止でき、射撃時に空包の部品の欠損や部品の一部の欠損を防ぐことができて、連発射撃を行うことができ、訓練の効率性や安全性の向上を図ることができる。
特に、前筒部の先端部に、円周方向の三点以上を中心に向けて押し潰す押し潰し加工を施したことにより、空包の前筒部の先端部の先端が閉塞した形態となるため、紙塞を使わずに薬莢部の内部を密閉することができ、射撃の際の拘束力が増加するため燃焼残渣を抑えることができ、前方飛散物を大幅に抑えることも可能となる。そして、このような効果により、訓練の安全性の一層の向上を図ることが可能となる。
【００１６】
また、前筒部の先端部の押し潰し加工が施される円周方向の三点以上の点数を四〜八点とすれば、空包の機関銃等の薬室への装填をスムーズに行うのに最適となり、さらに、射撃の際の前方飛散物、燃焼残渣を抑えるのにも最適となるため、連発射撃の確実性をより一層高めることが可能となる。これにより、射撃の際の燃焼残渣、前方飛散物を抑えることができ、訓練の効率性や安全性の大幅な向上を図ることができる空包を提供することができる。
【発明を実施するための最良の形態】
【００１７】
以下、本発明の実施形態を詳細に説明する。図１は、本発明に係る空包の一の実施形態を示す上側半分を断面にした正面図である。図２は、本発明に係る空包の他の実施形態を示す上側半分を断面にした正面図である。なお、図３に従来例として示した部分と同一または相当部分には、同一符号を付して説明を省略する。
【００１８】
本発明に係る空包１は、図１に示す通り、小銃、機関銃を含む小口径火器に使用され、雷管４、空包薬５を内部に備えた、金属製、例えば、真鍮製の前筒部２および薬莢部３からなり、前筒部２の後端部２１が、薬莢部３の内部に挿入され、薬莢部３の先端にてかしめられた構成である。特に、前筒部２の後端部２１が薬莢部３の先端にてかしめられた幅（カシメ３１幅）は、０．９ｍｍから２．２ｍｍまで、例えば、２．０ｍｍであり、この幅により薬莢部３の内部に挿入された前筒部２の後端部２１を強固に固定し、前筒部２の抜け強度を増加させている。また、前筒部２の後端部２１の、薬莢部３の先端におけるカシメ３１をさらに強固なものとするため、薬莢部３のカシメ３１部分と前筒部２の後端部２１の被カシメ部分２１１との接触面を、溶着したり、接着剤により接着したりすることが望ましい。
【００１９】
【表１】
0005016531.tif 000002
【００２０】
なお、上記の表１に示す通り、カシメ３１幅につき、０．９ｍｍよりも短くすると、前筒部２の後端部２１の、薬莢部３の先端におけるカシメ３１が弱くなり、いわゆる脱筒を生じるおそれがあるので、好ましくない。また、２．２ｍｍより長くしても、固定強度（カシメ強度）が不必要に大きくなるので好ましくない。
【００２１】
さらに、本発明に係る空包１は、前筒部２の後端部２１が、薬莢部３のカシメ３１よりさらに薬莢部３のボトム側に設けられた環状凹部の溝（薬莢部３の内部側から見れば環状凸部）３２によっても固定されている。この環状凹部の溝３２の内径は、７．４ｍｍから７．８ｍｍまで、例えば、７．５ｍｍであり、この環状凹部の溝３２により、前筒部２の後端部２１の後端２１２を薬莢部３の内部に駐止させるとともに、薬莢部３のカシメ３１と協調して、前筒部２の後端部２１を薬莢部３の内部に強固に固定し、前筒部２の抜け強度をさらに増加させている。
【００２２】
【表２】
0005016531.tif 000003
【００２３】
なお、上記の表２に示す通り、この環状凹部の溝３２の内径につき、７．４ｍｍよりも小径の場合は、前筒部２のすべてもしくは一部が薬莢部３の内部に入り込んでしまう、いわゆる入り込みが発生し好ましくない。また、７．８ｍｍよりも大径にすると、射撃時に薬莢部３の破断が発生し、空包１に要求される確実な連発射撃が行われなくなるおそれがあるので、好ましくない。
【００２４】
そして、前筒部２の後端部２１の薬莢部３の内部への固定方法は、まず、前筒部２の後端部２１の後端２１２を、薬莢部３に設けられた環状凹部の溝３２に当接するまで薬莢部３の内部に挿入し、さらに、薬莢部３の先端をかしめて前筒部２の被カシメ部分２１１を固定すればよい。
【００２５】
また、本発明に係る空包１における前筒部２の先端部２２には、円周方向の三点以上を中心に向けて押し潰す押し潰し加工２２ａが施されている。この押し潰し加工２２ａが施される円周方向の三点以上の点数は四〜八点、例えば、六点である。なお、前筒部２の先端部２２の形態を、以下、空包１における先端側から見た場合で表し、茶巾絞り様の形態と称する。
そうすると、この前筒部２の先端部２２の茶巾絞り様の形態により、前筒部２の先端部２２が閉塞して尖っているため、空包１は、弾倉またはリングから火器の薬室への給弾および装填がスムーズに行われる。さらに、前筒部２の先端部２２の先端２２１が閉塞しているため、密閉性が安定し、紙塞を使わずに薬莢部３の内部を密閉することが可能である。
【００２６】
【表３】
0005016531.tif 000004
【００２７】
なお、上記の表３に示す通り、前筒部２の先端部２２の茶巾絞り様の形態の、押し潰し加工２２ａが施される円周方向の三点以上の点数は、三点以下とすると、燃焼残渣が多くなるため好ましくない。また、前筒部２の先端部２２の先端２２１の寸法が大きくなる（尖りが鈍くなる）ため、空包１の弾倉またはリングから薬室へのスムーズな給弾および装填が行われないおそれが生じ、確実な連発射撃が行われなくなるおそれがあるため好ましくない。一方、円周方向の三点以上の点数は、九点以上とすると、射撃の際に、空包１が受ける高いポート圧力により、前筒部２の先端部２２がちぎれるおそれが生じ、前筒部２の先端部２２がちぎれてしまうと、前方に飛散する金属性の前方飛散物が発生するため好ましくない。
【００２８】
そして、空包１に要求される確実な連発射撃に最適な前筒部２の先端部２２となる茶巾絞り様の形態は、押し潰し加工２２ａが施される円周方向の三点以上の点数を六点としたものである。また、円周方向の三点以上の点数は、本発明に係る空包１を適用する各種の火器の特性、薬室の構造等との関係に基づいて、連発性、充填性、脱筒、前方飛散物、燃焼残渣をそれぞれ考慮し、四点から八点までのうち、最適なものを選択すればよい。
【００２９】
ここで、本発明に係る空包１と従来の空包１００とにおいて、射撃した際の性能を比較した例を、下記表４および表５に示す。
【００３０】
【表４】
0005016531.tif 000005
【００３１】
【表５】
0005016531.tif 000006
【００３２】
このように、表４から、本発明に係る空包１は、従来の空包１００に比して、脱筒数がゼロとなり、３００発もの連発射撃において良好な連発性（連続射撃性）の性能を有することが示された。また、表５から、射撃の際に、高いポート圧を受けて開放されること、および、燃焼残渣の発生率を大幅に低下させることが示された。
【００３３】
すなわち、本発明に係る空包１は、前筒部２の後端部２１を、薬莢部３の内部に挿入し、薬莢部３の先端にて２．０ｍｍの幅でかしめて固定し、このカシメ３１と協調して、カシメ３１よりさらに薬莢部３のボトム側に設けられた、７．５ｍｍの内径を有する環状凹部の溝３２によっても前筒部２の後端部２１の後端２１２を駐止して固定するとともに、前筒部２の先端部２２に、円周方向の六点を中心に向けて押し潰す押し潰し加工２２ａを施し、前筒部２の先端部２２を先端２２１が閉塞した茶巾絞り様の形態として、紙塞を使わずに薬莢部３の内部を密閉して密閉性を保持する構造としたことにより、顕著な連発性の向上を実現するとともに、密閉性を安定させ、空包１が高いポート圧で開放されることを可能とした。さらに、空包薬５の燃焼性を向上させて、燃焼残渣を大幅に低減させることも実証した。
【００３４】
したがって、本発明に係る空包１は、前筒部２の後端部２１を薬莢部３の内部に挿入し、薬莢部３の先端を２．０ｍｍの幅でかしめて固定するとともに、これと協調して、薬莢部３のカシメ３１よりさらに薬莢部３のボトム側に設けられた、７．５ｍｍの内径を有する環状凹部の溝３２によっても、前筒部２の後端部２１の後端２１２を駐止して固定したので、前筒部２の抜け強度が大幅に増強されて、空包１が薬室内に装填されるときに薬室壁に衝突しても、前筒部２が薬莢部３から外れること（いわゆる脱筒）がなくなって、いわゆる入り込みもなくなり、射撃時に空包１の部品の欠損や部品の一部の欠損を防ぐことができ、連発射撃を行うことができる。  
【００３５】
さらに、前筒部２の先端部２２に、円周方向の六点を中心に向けて押し潰す押し潰し加工２２ａを施し、前筒部２の先端部２２を茶巾絞り様の形態としたので、前筒部２の先端部２２が尖った形態であるために、空包１の薬室への装填をスムーズに行うことができ、前筒部２が薬莢部３から外れること（いわゆる脱筒）がなくなって、確実な連発射撃を行うことが可能となる。また、前筒部２の先端部２２の先端２２１を閉塞したので、紙塞を使わずに薬莢部３の内部を密閉することができ、密閉性が安定し、射撃の際に空包１が受けるポート圧を大幅に上昇させて燃焼性を向上させ、燃焼残渣を大幅に低減することができる。
【００３６】
すなわち、本発明により、装填性が向上して脱筒がなくなり、入り込みもなくなって、訓練の効率性や安全性の向上を図ることができるほか、燃焼残渣を大幅に低減させて、訓練の安全性のさらなる向上を図ることも可能となる空包１を提供することができる。また、一連のスムーズな装填、確実な連発射撃の実行、燃焼残渣の大幅な低減により、薬莢部３を再利用できることとなって、低コストで空包１を提供することも可能である。
【００３７】
なお、本発明に係る空包は、図２に示す通り、前筒部２および薬莢部３を一体的に製造した構成とした一体型空包１０とすることも可能である。
この実施形態では、カシメを不要としつつ、薬莢部と前筒部とが一体となることにより、前筒部が薬莢部から外れることがなくなるという効果を有する。さらに、空包の先端部（前筒部の先端部）に、円周方向の三点以上を中心に向けて押し潰す押し潰し加工を施して、空包の先端部（前筒部の先端部）を茶巾絞り様の形態とすれば、空包の薬室への装填をスムーズに行うことができ、紙塞を使わずに薬莢部の内部を密閉することができ、密閉性が安定し、射撃の際に空包が受けるポート圧を大幅に上昇させて燃焼性を向上させ、燃焼残渣を大幅に低減することができる。
したがって、このような実施形態であっても、装填性が向上して脱筒がなくなり、訓練の効率性や安全性の向上を図ることができるほか、燃焼残渣を大幅に低減させて、訓練の安全性のさらなる向上を図ることも可能となる空包を提供することが可能となる。
【００３８】
以上、本発明の実施形態を詳述したが、本発明は上記実施形態に限定されるものではない。そして本発明は、特許請求の範囲に記載された事項を逸脱することがなければ、種々の設計変更を行うことが可能である。例えば、上記の実施形態では、前筒部の後端部を薬莢部の内部に挿入して、この前筒部の後端部の後端を駐止する薬莢部に設けられた凹部が、環状凹部であるとして説明したが、薬莢部のカシメと協調して前筒部の後端を駐止し、前筒部の後端部を強固に固定することができるものである限り、薬莢部の同じ高さの円周上に、凹部を例えば複数点設けた構成としても望ましい実施形態となる。
【図面の簡単な説明】
【００３９】
【図１】本発明に係る空包の一の実施形態を示す上側半分を断面にした正面図である。
【図２】本発明に係る空包の他の実施形態を示す上側半分を断面にした正面図である。
【図３】従来の空包を示す上側半分を断面にした正面図である。
【符号の説明】
【００４０】
１      空包
１０    一体型空包
１００  従来の空包
２      前筒部
２１    前筒部の後端部
２１１  被カシメ部分
２１２  前筒部の後端部の後端
２２    前筒部の先端部
２２１  前筒部の先端部の先端
２２ａ  押し潰し加工
３      薬莢部
３１    カシメ
３２    環状凹部の溝（薬莢部の内部側から見れば環状凸部）
４      雷管
５      空包薬
６      紙塞
【図１】
0005016531.tif 000007
【図２】
0005016531.tif 000008
【図３】
0005016531.tif 000009